(57)【要約】      （修正有）【課題】エスカレーターの踏み板清掃は、停止状態で人力により汚水回収作業をしており、作業者は踏み段の上下動による重労働を長時間、行う作業であった。エスカレーターを運転しながら汚水回収をすることが出来、作業時間の短縮と、作業員の労力が軽減され、踏み板清掃の作業効率を向上することができる汚水回収用ノズルを提供する。【解決手段】エスカレーターを運転しながら汚水回収をするには、踏み板を移動する際の踏み板間の上下左右のずれを緩衝しながら、気密を保持する為のブラシと樹脂板を設置した吸引ノズルを備える。汚水を真空掃除機で吸い取ることが出来、エスカレーターを運転しながら自動清掃することが出来、短時間、低価格での清掃が出来る。【選択図】図１
2020090391.tif 000002
【特許請求の範囲】
【請求項１】
エスカレーター踏み板のバキュームクリーナーによる吸引清掃に於いて、踏み板溝部に挿入し負圧を保持する直線チャンネルブラシと、踏板凸部から直線チャンネルブラシ上部金具間に出来る隙間を覆う樹脂板を備え、機密を保持することを特徴とするエスカレーター踏板の汚水回収用ノズル。
【発明の詳細な説明】
【技術分野】
【０００１】  本発明はエスカレーター踏み板の清掃に関する
【背景技術】
【０００２】  エスカレーターの踏み板は表面に連続的に溝があり、乗降場に設置してあるコムプレートと呼ばれる櫛状の部材の凸部が踏み板の溝部に押し込む形で運転することにより、利用者の履物等を引き込まない構造となって安全を確保している。【０００３】  溝状になっていると塵が溜まりやすく、掃除がし難い為、時間の経過と共に多くの塵が堆積することになる。【０００４】  従来は踏み段を取り外して、清掃し再び取り付けるといった方法で行っていたが、近年踏み段清掃用の工法・器具が開発されて、踏み段を取り外さないで清掃が短時間で出来るようになり、生産性が大幅に向上し、設置者の負担が軽減され清掃が多く実施されるようなり、室内環境の改善に大きな効果をあげている。
特許第３０８４４３８号（エスカレーターにおける踏み段の清掃方法）
【発明の開示】
【発明が解決しようとする課題】
【０００５】  前述の特許第３０８４４３８号の仕上げ清掃の方法として、踏板の洗浄汚水を真空掃除機で吸い取るノズルは、機密を保つために樹脂製の板を踏み板の溝に合わせて切断加工し、溝に差し込む形状となっており、エスカレーターを停止した状態で操作している。【０００６】  清掃作業は、停止したエスカレーターの踏み段を作業員が上下動して、作業しており、長時間の重労働の作業となっていた。【０００７】  エスカレーターを運転しながら仕上げ清掃が出来ると更に生産性が上がり、短時間で清掃が出来るようになり、作業員の労力負担が軽減できる。【０００８】  交通系の施設は、終便から始発間の少ない時間で作業を行わなければならず、短時間の作業が望まれている。【０００９】  洗浄汚水を、エスカレーターを運転しながら回収除去すれば、交通系等の限られた時間での清掃が容易となり、製造コストの軽減により清掃価格の低減が期待できる。【００１０】  エスカレーターの踏み段は、１段づつ独立しており、昇りの場合乗り始めから徐々に上向きに段が出来、乗り終りに段が無くなり水平になる。降りの場合乗り始めから下向きに段が出来、乗り終りに段が無くなり水平になる構造になっている。【００１１】  乗り場又は降り場は踏み板が少なくとも２段が水平の状態になっており、水平部分にノズルを設置することにより、運転しながら清掃することが可能になる。【００１２】  踏み板の継ぎ目部は、前後の踏み板に僅かな段差や左右の振れが生じている。【００１３】  エスカレーターを運転しながら［０００５］の樹脂製のノズルを踏み板に設置すると、踏み板の継ぎ目のわずかな段差や溝の左右に振れた踏み板に樹脂板が引っ掛かり、弾き飛ばされることになる。【００１４】  踏み板の僅かな段差、左右の振れを緩衝しながら機密を保つノズルの開発が望まれる。
【課題を解決するための手段】
【００１５】  汚水回収用バキュームクリーナーの負圧を保持する為には、機密を保ちながら踏み板の上下左右の振れに対応する構造のノズルを開発する。【００１６】  機密を保ちながら上下左右のずれに対応する構造にするのは、一枚の構造でなく細い数本の部材にする。【００１７】  細い部材は樹脂性のブラシとすることで、機密保持と緩衝作用が出来る。【００１８】  踏み板は、溝部と凸部で構成されており、溝部の幅は約６ミリメートル、深さ約１０ミリメートル、凸部の幅は約３ミリメートルであり、凸部を割って直線ブラシを溝部に挿入するには、溝の深さの数倍以上の長さのブラシが必要となる。【００１９】  ブラシを溝部に挿入した際、凸部の幅とブラシの糸材の固定部との間に三角形の隙間が生ずることになる。【００２０】  三角形の隙間から空気が漏れない構造にする為、樹脂板を直線チャンネルブラシの締め付部から踏み板の凸部まで設置して、三角部分からの空気の漏れを防ぎ、機密を保つ構造とする。
【発明の効果】
【発明の効果】
【００２１】  エスカレーター踏み板の清掃が、エスカレーターを運転しながら仕上げ清掃が出来る事により、労力の軽減と作業時間が短縮となり、生産性が向上することで施設管理者の負担が軽減され、踏み段清掃の普及が促進される。【００２２】  本発明により、エスカレーター利用者の安全と衛生的環境が向上し、清潔感と共に施設の美観的評価が向上し、商業施設等において快適空間の提供ができることで、集客効果が増し経済効果の拡大に貢献出来る。
【発明を実施する為の最良の形態】
【実施例】
【００２３】  以下、本発明の実施の形態を図１から図３に基づいて説明する。【００２４】  ノズル▲１▼を金属の筐体で作り、上部にバキュームホース▲６▼を取り付ける鋼製のパイプを設ける、下部に踏み板の溝に挿入する直線チャンネルブラシ▲７▼を取り付ける。【００２５】  ▲７▼のブラシは溝の深さの３倍の長さにし、溝の左右の振れに柔軟に密着する構造とする。
踏み板の僅かな段差もブラシの性質上、緩衝出来る。【００２６】  ブラシを溝に挿入した際、踏み板の凸部と直線チャンネルブラシの金具部の間の三角形の隙間が生じ、その隙間から空気が漏れ、機密が保てなくなるので、三角形の隙間から空気が漏れないように、ブラシの金具から踏み板の凸部に樹脂板▲８▼を設置して機密を保持する。【００２７】  ノズル筐体の横の側板に樹脂板▲１１▼を取り付け、上下することにより、ノズル全体の適切な負圧を調節出来る構造とする。【００２８】  ノズル前後のブラシの高さや、踏み板に接する角度を最適に保つ為、ノズル固定金具▲２▼を設け、ノズル筐体に高さ調整用の金具を設ける。【００２９】図１において、▲１▼はノズル本体、▲２▼はノズル固定金具、▲３▼はエスカレ−ター踏み板、▲４▼はコムプレート、▲５▼はランディングプレート、▲６▼はバキュームホース、▲７▼は機密保持用チャンネル直線ブラシ、▲８▼は機密保持用樹脂板、▲９▼は樹脂板押え金具、▲１０▼はブラシ押え金具、▲１１▼は機密保持用樹脂側板
【図面の簡単な説明】
【００３０】
【図１】ノズルを踏み板に取り付けた、側面の透視図である。
【図２】ノズルを踏み板に取り付けた、平面図である。
【図３】ノズルのブラシを踏み板の溝に取り付けた正面図で、凸部上面に出来る三角形の隙間と、それを塞ぐ樹脂板の図である。
【符号の説明】▲１▼ノズル本体
▲２▼ノズル固定金具
▲３▼エスカレ−ター踏み板
▲４▼コムプレート
▲５▼ランディングプレート
▲６▼バキュームホース
▲７▼機密保持用チャンネル直線ブラシ
▲８▼機密保持用樹脂板
▲９▼樹脂板押え金具
▲１０▼ブラシ押え金具
▲１１▼機密保持用樹脂側板
【図１】
2020090391.tif 000003
【図２】
2020090391.tif 000004
【図３】
2020090391.tif 000005